(57)【要約】      （修正有）【課題】土を用いた栽培と同様の栄養素を保持することが可能であるとともに、不要となった場合に燃焼可能な園芸培地を提供する。【解決手段】園芸培地は、ヤシ殻発酵肥料と、ヤシ殻チップと、もみ殻発酵肥料と、を含むものであって、燃焼可能なものである。また、この観点において、本培地は軽石を含んでいてもよく、自重によって培地が密にしまってしまうことを防止してより多く気相を確保することができるとともに、保水性や根の張りをよりよくすることができるものである。【選択図】図１
2020089273.tif 000002
【特許請求の範囲】
【請求項１】
ヤシ殻発酵肥料と、ヤシ殻チップと、もみ殻発酵肥料と、を含む燃焼可能な園芸培地。
【請求項２】
前記ヤシ殻発酵肥料、前記ヤシ殻チップ及び前記もみ殻発酵肥料の合計体積を１００体積部とした場合に、前記ヤシ殻発酵肥料を２０体積部以上４０体積部以下の範囲内で、前記ヤシ殻チップを２０体積部以上４０体積部以下の範囲内で、及び、前記もみ殻発酵肥料を２０体積部以上４０体積部以下の範囲で含む、請求項１記載の燃焼可能な園芸培地。
【請求項３】
土を実質的に含まない請求項１記載の燃焼可能な園芸培地。
【請求項４】
軽石を含む請求項１記載の燃焼可能な園芸培地。
【請求項５】
前記ヤシ殻発酵肥料、前記ヤシ殻チップ及び前記もみ殻発酵肥料の合計体積を１００体積部とした場合に、軽石を１０体積部以上２０体積部以下の範囲内で含む請求項１記載の燃焼可能な園芸培地。
【請求項６】
バチルス菌及びVS菌を含む請求項１記載の燃焼可能な園芸培地。
【請求項７】
カニ殻及び炭を含む請求項１記載の燃焼可能な園芸培地。
【発明の詳細な説明】
【技術分野】
【０００１】
本発明は、燃焼可能な園芸培地に関する。
【背景技術】
【０００２】
一般に植物を育てる園芸において、土壌は欠かすことのできないものであり、一般に植物は畑等において栽培される。一方で、畑等の露地栽培以外に、鉢（プランターともいう場合がある）に植物を保持するとともにこの植物に栄養を供給するための土壌を充填し、植物を育てる栽培方法、いわゆる鉢栽培が普及している。
【０００３】
これら鉢栽培において用いることができる土としては、例えば下記特許文献１にその記載がある。
【先行技術文献】
【特許文献】
【０００４】
【特許文献１】特開平１０−２０１３６６号公報
【発明の概要】
【発明が解決しようとする課題】
【０００５】
しかしながら、上記特許文献１に記載の技術においてさえ、植物の育成を良好に維持するためには不燃性の土を混入せざるを得ない。不燃性の土は燃やすことができず、結果として不燃物のごみとなる。この不燃物のごみの発生は家庭園芸において鉢栽培を行う者において大きな負担となってしまう。一方で、土を用いなければ栄養や水はけ等に課題が多く残るため、その開発は容易ではない。
【０００６】
そこで、本発明は上記課題に鑑み、土を用いた栽培と同様の栄養素を保持することが可能であるとともに、不要となった場合に燃焼可能な園芸培地を提供することを目的とする。
【課題を解決するための手段】
【０００７】
上記課題を解決する一の観点に係る園芸培地は、ヤシ殻発酵肥料と、ヤシ殻チップと、もみ殻発酵肥料と、を含むものであって、燃焼可能なものである。
【発明の効果】
【０００８】
以上、本発明によって、土を用いた栽培と同様の栄養素を保持することが可能であるとともに、不要となった場合に燃焼可能な園芸培地を提供することができる。
【図面の簡単な説明】
【０００９】
【図１】実施例において調整した園芸培地を示す写真図である。
【図２】実施例において育成した植物の例を示す写真図である。
【図３】実施例において調整した園芸培地の他の例を示す写真図である。
【発明を実施するための最良の形態】
【００１０】
以下、本発明の実施形態について図面を用いて詳細に説明する。ただし、本発明は多くの異なる形態による実施が可能であり、以下に示す実施形態、実施例の具体的な例示に限定されるものではない。
【００１１】
まず、本実施形態に係る園芸培地（以下「本培地」という。）は、ヤシ殻発酵肥料と、ヤシ殻チップと、もみ殻発酵肥料と、を含むものであって、燃焼可能なものである。
【００１２】
本培地は、園芸用に用いられる培地であり、植物の苗を植えることで当該植物を保持し、育成するために用いられるものである。
【００１３】
本培地において、ヤシ殻発酵肥料とは、ヤシ（ココナッツ）の殻における繊維質層を発酵させた肥料である。ヤシ殻発酵肥料を用いることで下記ヤシ殻チップによって形成される隙間を充填させるとともに水やこれに溶解した肥料を十分に保持させて根の張りを良くすることができる。また、ヤシ殻発酵肥料は、発酵させる前にあく抜きを行っておくことが好ましい。
【００１４】
本培地において、ヤシ殻チップとは、ヤシの殻の殻における繊維質層を所定の大きさにカットしてチップ状としたものである。ヤシ殻チップの大きさとしては特に限定されるわけではないが、概ね一辺２０ｍｍ以下のものであることが好ましく、より好ましくは一辺１０ｍｍ以下のものである。ヤシ殻チップを用いることで、間隙を形成し気相を形成するとともに、ヤシ殻チップそのものにおいて水やこれに溶解した肥料を保持することが可能となる。また、ヤシ殻チップによって軽量化を図ることができる。
【００１５】
本培地において、もみ殻発酵肥料とは、もみ殻を発酵させた肥料である。もみ殻を発酵させることで、バジルス菌、VS菌、ＥＭ菌といった植物の育成に有用な菌を安定的に存在させることが可能となるとともに、上記ヤシ殻チップが形成する隙間を充填する一方、供給した水等の液体の排水性を高め、上記ヤシ殻発酵肥料、ヤシ殻チップとのバランスで保水性と排水性のバランスを保つことができるようになる。
【００１６】
すなわち、本培地は、ヤシ殻発酵肥料を含ませることで固相を確保するとともに保水性を高め、ヤシ殻チップを含ませることで気相を確保するとともに保水性を高め、もみ殻発酵肥料を含ませることで固相を確保するとともに排水性を高めることができる。すなわち、本培地は実質的に土を含ませなくとも、一般に土を含む園芸用土と同様の栄養分を保持することができるとともに、使用後は燃焼させることが可能であり、燃えるごみとして廃棄することができる。さらに、土を用いない園芸培地であるため、外国への輸出が可能となる。
【００１７】
また、上記培地は、植物の育成に好適な菌を自然発生的に含ませることができているが、これらに対して追加的に、又は異種の菌を追加してもよい。具体的には、バチルス菌、ＥＭ菌及びＶＳ菌の少なくともいずれかを含ませてもよい。このようにすることで植物の育成に必要な菌の提供を行うことができる。
【００１８】
また、本培地において、ヤシ殻発酵肥料、ヤシ殻チップ、もみ殻発酵肥料の配合は、植物を好適に育成することができる限りにおいて限定されるわけではないが、例えば、ヤシ殻発酵肥料、ヤシ殻チップ及びもみ殻発酵肥料の合計体積を１００体積部とした場合に、ヤシ殻発酵肥料を２０体積部以上４０体積部以下の範囲内で、ヤシ殻チップを２０体積部以上４０体積部以下の範囲内で、及び、もみ殻発酵肥料を２０体積部以上４０体積部以下の範囲で含むことが好ましい。この範囲とすることで、上記機能を効果的に発揮することができる。
【００１９】
また、本培地は、軽石を含んでいてもよい。軽石を含ませることで、自重によって培地が密に締まってしまうことを防止してより多く気相を確保することができるとともに、保水性や根の張りをより良くすることができる。また、この場合において、軽石を加える量としては、上記の機能を有する限りにおいて限定されるわけではないが、ヤシ殻発酵肥料、ヤシ殻チップ及びもみ殻発酵肥料の合計体積を１００体積部とした場合に、軽石を５体積部以上４０体積部以下の範囲内、より好ましくは２０体積部以下で含むものであることが好ましい。
【００２０】
さらに、本培地は、カニ殻及び炭を含んでもよい。カニ殻を含ませることでそのアミノ酸を菌や微生物の栄養源とすることができるようになるとともに、炭の多孔質性によって微生物や菌の定着を促進することができるようになる。
【００２１】
また、カニ殻の添加量としては、限定されるわけではないが、例えば、ヤシ殻発酵肥料、ヤシ殻チップ及びもみ殻発酵肥料の合計体積１ｍ３当たり、カニ殻又は炭それぞれを１ｋｇ以上１０ｋｇ以下の範囲内で含むものであることが好ましく、より好ましくは５ｋｇ以下である。
【００２２】
以上、本発明によって、土を用いた栽培と同様の栄養素を保持することが可能であるとともに、不要となった場合に燃焼可能な園芸培地を提供することができる。
【００２３】
なお、本発明は、燃焼可能な園芸培地を提供することができるものであるが、燃焼させる必要がないような場合においても用いることができ、例えばこれに腐葉土や赤土等を混ぜることでより好ましい環境に適用させた園芸培地とすることが可能であることは言うまでもない。
【実施例】
【００２４】
ここで、上記園芸培地について実際に作製を行い、その効果を確認した。
【００２５】
（例１）
まず、ヤシ殻発酵肥料（ココピート（登録商標）、）と、ヤシ殻チップ（ハスクチップ）と、もみ殻発酵肥料を、体積比１：１：１となるように混ぜ合わせて十分な量の園芸培地を準備した。なおこの園芸培地には、バチルス菌、ＥＭ菌、ＶＳ菌などを含有させた。この調整した園芸培地について図１に示しておく。
【００２６】
そして、上記園芸培地を園芸用ポットにそれぞれ充填し、通常の肥料（オスモコート、ハイポネックスジャパン製）を１ポットあたり１〜１．５ｇ含ませたうえで、サクラソウ、プリムラ、ネメシア、サルビア等の苗を植え付け、それぞれ花をつけるまで１月程育成した。この結果育成した植物の一例（アリッサム）について図２に示す。なお、比較のため、園芸培地ではなく通常の園芸用土によって栽培したものと同等以上に育成できていることを確認した。
【００２７】
本図で示すように、本培地を用いた例は、従前の土を用いた培地と遜色のない育成が可能であることを確認できた。
【００２８】
なお、本培地については土を用いないため燃焼可能であるため、燃焼試験について行った。燃焼させたところ、すべて燃焼し、燃焼後は炭のみが残った。
【００２９】
（例２）
上記と同様にし、更に、軽石を、上記園芸培地１０リットルに対し１リットルとなる割合にて加え、上記と同様の植物について育成を行った。この培地の写真図を図３に示しておく。
【００３０】
この結果においても、十分に良好な結果を得ることができた。また、本例では軽石を加えているため、培地表面の高さが沈み込むことがほとんどなく、良好な状態を保つことができた。
【００３１】
以上、本実施例によって、本発明の効果を確認することができた。
【図１】
2020089273.tif 000003
【図２】
2020089273.tif 000004
【図３】
2020089273.tif 000005